(57)【要約】【課題】アンテナ設置用の支柱を不要とでき、かつ、道路の美観を損なうことのない新たな技術的手段を提供する。【解決手段】ＬＥＤ７、ＬＥＤ７が前面に実装されたＬＥＤ基板８を収容している収容部材６、及び、可視光透過性を有し前記ＬＥＤ７を前方で覆うカバー部材９を有する光学ユニット２と、この光学ユニット２に格納されたアンテナ４とを備えている。アンテナ４は、パッチアンテナ、ダイポールアンテナ、折り返しダイポールアンテナ、バットウイングアンテナ、ループアンテナから選択される一つである。【選択図】      図２
2010146049.tif 000002
【特許請求の範囲】
【請求項１】
発光体、及び、可視光透過性を有し前記発光体を前方で覆うカバー部材を有する光学ユニットと、
前記光学ユニットに格納されたアンテナと、を備えたことを特徴とする交通信号灯器。
【請求項２】
前記アンテナは、パッチアンテナ、ダイポールアンテナ、折り返しダイポールアンテナ、バットウイングアンテナ及びループアンテナからなる群から選択される少なくとも一つである請求項１に記載の交通信号灯器。
【発明の詳細な説明】
【技術分野】
【０００１】
本発明は、道路等に設置される交通信号灯器に関する。
【背景技術】
【０００２】
近年、交通安全の促進や交通事故の防止を目的として、高度道路交通システム（ＩＴＳ：Intelligent Transport System）が提案されている。このＩＴＳでは、道路に路側通信装置（インフラ装置）が設置されていて、この路側通信装置から発せられた無線情報を、道路を走行する車両に搭載した車載通信装置が受信し、車載通信装置が無線情報に含まれている各種情報を活用することにより、車両の走行についての安全性を向上させることができる（特許文献１参照）。
このような路側通信装置と車載通信装置との間の通信（路車間通信）を無線によって行なう場合、無線通信の見通しを確保する観点から、歩道等に設置した支柱から車道側にアームを張り出し、このアーム上に路側通信装置のアンテナを取り付けている。また、前記アームを設けなくても見通しが確保できる場合、前記支柱に路側通信装置のアンテナを取り付けることができる。
【０００３】
【特許文献１】特許第２８０６８０１号公報
【発明の開示】
【発明が解決しようとする課題】
【０００４】
路側通信装置のアンテナを道路に設置するために、アンテナ専用の支柱を新たに設けることは経済的でなく、また、道路の美観の点でも好ましくない。
そこで、道路には車両感知器や光ビーコンのヘッド等が設置されているため、これらを取り付けている支柱やアームにアンテナを併設することが考えられる。しかし、この場合においても、煩雑となり、美観の点で好ましくない。
【０００５】
そこで、アンテナ設置用の支柱を不要とでき、かつ、道路の美観を損なうことのない新たな技術的手段を提供することを目的とする。
【課題を解決するための手段】
【０００６】
本発明の交通信号灯器は、発光体、及び、可視光透過性を有し前記発光体を前方で覆うカバー部材を有する光学ユニットと、前記光学ユニットに格納されたアンテナとを備えたことを特徴とする。
この交通信号灯器によれば、アンテナは、交通信号灯器の光学ユニットに格納されているため、当該アンテナを目立たなくすることができる。さらに、アンテナを光学ユニットに組み込むことで、アンテナ設置用の専用の支柱を不要とできる。
【０００７】
そして、無線通信するための無線周波数及びアンテナ種類に応じて、アンテナの大きさが様々となるが、所定の無線周波数で使用するためのアンテナを光学ユニットに格納するために、当該アンテナを、パッチアンテナ、ダイポールアンテナ、折り返しダイポールアンテナ、バットウイングアンテナ、及び、ループアンテナからなる群から選択される少なくとも一つとすることができる。
【発明の効果】
【０００８】
本発明によれば、アンテナは、交通信号灯器の光学ユニットに格納されているため、アンテナ設置用の専用の支柱を不要とでき、かつ、道路の美観を損なうことがない。
【発明を実施するための最良の形態】
【０００９】
以下、本発明の実施形態を図面に基づいて説明する。
図１は本発明の交通信号灯器の実施の一形態を示す正面図である。図１の交通信号灯器１（以下、単に信号灯器１ともいう）は、道路に設置された車両用である。
信号灯器１の設置構造について説明すると、歩道等の路側に支柱４０が設置され、この支柱４０から車道側にアーム４１が張り出されて設けられており、このアーム４１に信号灯器１が取り付けられている。
なお、信号灯器１の設置構造は図示したもの以外であってもよい。例えば、図示しないが、前記支柱４０及び前記アーム４１の形態が異なっていてもよく、また、信号灯器１を歩道橋に架設してもよい。また、本発明の信号灯器１は図示しないが、歩行者用であってもよい。
【００１０】
信号灯器１は、複数（図例では三つ）の光学ユニット２と、これら光学ユニット２を組み込んでいる筐体３とを有している。三つの光学ユニット２は、赤、黄、青の灯光色を有している。各光学ユニット２の上側には庇３０が取り付けられている。
前記支柱４０には、制御装置５ａが取り付けられていて、この制御装置５ａは、信号灯器１の点灯を制御する。なお、制御装置５ａは、信号灯器１の筐体３内に設けられていてもよい。
【００１１】
この制御装置５ａの他に、後述するアンテナ４を用いた無線通信の制御を行なう制御装置５ｂも設けられている。両制御装置５ａ，５ｂは別のものであってもよいが、一方の制御装置が他方の制御装置を兼ねていてもよい。また、両制御装置５ａ，５ｂが別々である場合であっても、両制御装置を同一の筐体に内蔵させることができる。又は、筐体をそれぞれ別々とし、無線通信用の制御装置５ｂを点灯用の制御装置５ａの近傍（同一の支柱４０）に設置してもよい。
【００１２】
図２、図３及び図４は、一つの光学ユニット２の斜視図、正面図及び断面図である。図５は、光学ユニット２の内部の拡大断面図である。光学ユニット２は、発光体としての発光ダイオード７（以下、ＬＥＤという）と、複数のＬＥＤ７が前面８ａに実装されたＬＥＤ基板８と、収容部材６と、カバー部材９とを有している。ＬＥＤ基板８は、その裏面に配線パターンが形成されていて、ＬＥＤ７のリード線（端子）７ｃ，７ｄと繋がっている（図５参照）。ＬＥＤ基板８上には複数のＬＥＤ７が面状に広がって配設されている。ＬＥＤ７はレンズ部（モールド部）７ｅを有し、このレンズ部７ｅ内にＬＥＤ素子７ｂが設けられている。
【００１３】
収容部材６は、底部（底壁）６ａと、この底部６ａの周縁から立設した側部（側壁）６ｂとを有している皿形状であり、前方に開口している。その開口側である前部に、カバー部材９が取り付けられている。収容部材６とカバー部材９との間に収容空間部Ｓが形成されていて、この収容空間部ＳにＬＥＤ７及びＬＥＤ基板８が収容されている。図４の光学ユニット２は、後に説明する反射防止部材１０を更に備えている。反射防止部材１０は収容部材６に取り付けられていて、この反射防止部材１０に前記ＬＥＤ基板８は取り付けられている。また、後述するアンテナ４も、反射防止部材１０に取り付けられている。収容部材６は、鋼板、アルミ又は樹脂製である。
収容空間部Ｓのうち、ＬＥＤ基板８よりも前方が前空間部Ｓ１であり、ＬＥＤ基板８よりも後方が後空間部Ｓ２である。なお、反射防止部材１０を省略してもよく、この場合、ＬＥＤ基板８は収容部材６に直接取り付けられる。また、この場合、後述のアンテナ４は、スペーサ等を介してＬＥＤ基板８に取り付けられる。
【００１４】
カバー部材９は可視光透過性を有しており（可視光に対して透明であり）複数のＬＥＤ７を前方で覆っている。この光学ユニット２（信号灯器１）において、前方とはＬＥＤ７の光の投光側であり（カバー部材９側であり）、後方とは収容部材６の底部６ａ側である。カバー部材９の後面（背面）９ａは凹曲面であり、前面９ｂが凸曲面である。カバー部材９を凹凸の曲面としたが、信号灯器１がＬＥＤ灯器であれば、平面とすることもできる。カバー部材９は、ガラス又は樹脂製である。
【００１５】
そして、この光学ユニット２にアンテナ４が格納されている。アンテナ４を、パッチアンテナ、ダイポールアンテナ、折り返しダイポールアンテナ、バットウイングアンテナ及びループアンテナからなる群から選択される少なくとも一つとすることができる。
【００１６】
〔アンテナ４の第一の形態〕
図３及び図４に示しているアンテナ４はパッチアンテナ４ａであり、パッチ素子１１とグランド素子１２とを有している。すなわち、パッチ素子１１とグランド素子１２とが、光学ユニット２内に格納されている。
【００１７】
パッチ素子１は、円形又は矩形（図３では円形）の平面状（平板状）に形成されている。パッチ素子１は、前記反射防止部材１０にスペーサ２２を介して取り付けられている（図４参照）。なお、パッチ素子１は、ＬＥＤ基板８から前方へ立設させた不導体からなるスペーサ（図示せず）によって支持される構成でもよい。
パッチ素子１１は、ＬＥＤ基板８から前方へ離れて設けられているが、ＬＥＤ７の前端３９（レンズ部７ｅの前端３９：図５参照）よりも後方に位置している。
【００１８】
グランド素子１２は、円形又は矩形（図３では円形）の平面状（平板状）に形成されている。グランド素子１２は、前記反射防止部材１０に取り付けられている（図４参照）。なお、グランド素子１２は、ＬＥＤ基板８から前方に立設させた不導体からなるスペーサ（図示せず）によって支持される構成でもよい。
グランド素子１２は、パッチ素子１１の後方に設けられている。さらに、グランド素子１２は、ＬＥＤ基板８の前方に位置している。
【００１９】
したがって、パッチ素子１１とグランド素子１２とが、前空間部Ｓ１内であって、ＬＥＤ基板８の前面８ａからＬＥＤ７の前端３９までの範囲Ａに設けられている。また、パッチ素子１１とグランド素子１２とが、前後方向に対向した配置となり、このパッチアンテナ４ａの指向性は、信号灯器１から前方へ向かう方向となる。つまり、光学ユニット２の投光方向と、アンテナ４ａの指向性とを略一致させることができる。これにより、信号灯器１は、当該信号灯器１が設置されている道路を走行する車両に対して、見通しが良い位置に設置されることから、このアンテナ４ａの指向性によって、前記車両に搭載した車載通信装置（図示せず）との間で、良好な通信状態が得られる。
【００２０】
このように、信号灯器１に組み込まれたアンテナ４ａ及び前記制御装置５ｂ（図１参照）を路側通信装置とすることで、当該路側通信装置と車両に搭載した車載通信装置との間で無線通信（路車間通信）が行われ、交通安全の促進や交通事故の防止を目的とする高度道路交通システム（ＩＴＳ）を実現することができる。このシステムで使用される無線周波数は、例えば、７２０ＭＨｚ帯、２．４ＧＨｚ帯がある。
【００２１】
使用周波数を７２０ＭＨｚ帯に設定する場合、パッチ素子１１とグランド素子１２との前後方向の間隔を１０〜４０ｍｍに設定することができる。これはグランド素子１２とパッチ素子１１との間に、空気が介在している場合である。
【００２２】
パッチ素子１１とグランド素子１２との前後方向の間隔を所定の値とするために、ＬＥＤ基板８の前面８ａからＬＥＤ７の前端３９までの間に、大きな前後方向の範囲（距離）Ａが必要となる場合がある。このために、図示しないが、通常よりも、ＬＥＤ７の発光部（レンズ部７ｅ）を長くしたり、リード線７ｃ、７ｄを長くしたり、リード線７ｃ、７ｄにアダプタ（図示せず）を付け足したりすればよい。
【００２３】
パッチ素子１１及びグランド素子１２は、ＬＥＤ基板８と平行になるように配置されている。信号灯器１はドライバへの視認性に鑑みて、通常、ＬＥＤ基板８自体を少し下方に傾けて設置してある。このため、パッチ素子１１及びグランド素子１２をＬＥＤ基板８に平行に取り付けることによって、アンテナ４ａの指向性も自然に下方に向く。
なお、路車間通信での無線通信の領域を限定的としたり確実性を増したりすることを目的として、アンテナ４ａをＬＥＤ基板８に対して上下方向又は左右方向に傾けるようにしてもよい。つまり、アンテナ４ａの指向性を調整するために、パッチ素子１１及びグランド素子１２の一方又は双方を、ＬＥＤ基板８に対して傾けて配置してもよい。
【００２４】
パッチ素子１１及びグランド素子１２は金属板から形成することができる。パッチ素子１１及びグランド素子１２の材質としては、導電性があり、導電率の高い材料が好ましく、例えば、銅、真鍮などの銅合金、アルミが好ましく、鉄、ニッケル又はその他の金属とすることもできる。また、高周波は表面に電流が流れることから、樹脂製等の不導体の板部材からなるアンテナ用基板に、金属蒸着したものや、金属メッキ（金や銀のメッキ）を施したものであってもよい（図示せず）。
【００２５】
図４の実施形態では、パッチ素子１１とＬＥＤ７とは前後方向の位置について重複していることから、図５に示しているように、パッチ素子１１には、ＬＥＤ７を挿通させる開口部として複数の孔３４が形成されている。また、グランド素子１２とＬＥＤ７とも前後方向の位置について重複していることから、グランド素子１２には、ＬＥＤ７（又はＬＥＤ７のリード線７ｃ、７ｄ）を挿通させる開口部として複数の孔１４が形成されている。これら孔３４，１４の配置は、ＬＥＤ７の配置と一致している。
【００２６】
したがって、パッチ素子１１及びグランド素子１２は網目構造となる。このため、ＬＥＤ７をパッチ素子１２の孔３４に挿し入れることで、パッチ素子１１がＬＥＤ７に干渉することなく、パッチ素子１１を所定の位置に設置することができ、また、ＬＥＤ７をグランド素子１２の孔１４に挿し入れることで、グランド素子１２がＬＥＤ７に干渉することなく、グランド素子１２を所定の位置に設置することができる。
【００２７】
また、パッチ素子１１、グランド素子１２を、導線（金属ワイヤ）によって（導線を編んで）形成したメッシュ構造としてもよい。この場合、導線間を前記孔とし、この孔にＬＥＤ７を位置させるように構成することができる。
【００２８】
図４において、収容部材６（底部６ａ）には、アンテナ４ａ用の同軸ケーブル１５を接続させる端子部１９が取り付けられていて、この端子部１９に、図１の制御装置５ｂから延びる同軸ケーブル１５が接続されている。そして、この端子部１９から後空間部Ｓ２へ延びる同軸ケーブル１５ａが、アンテナ４ａと接続される。同軸ケーブル１５ａは、中心導体１５ｂ、絶縁体１５ｃ、外導体１５ｄ及び被覆部１５ｅを有していて、中心導体１５ｂがパッチ素子１１に接続され、外導体１５ｄがグランド素子１２に接続されている。中心導体１５ｂ及び外導体１５ｄと、各アンテナ素子１１，１２（各素子の導電体部分）とを、半田によって接続し固定することができるが、半田以外の方法であってもよい。
また、図１の制御装置５ａから延びるＬＥＤ７用の電源ケーブル（図示せず）が、収容部材６の底部６ａに取り付けた端子部（図示せず）を介して、ＬＥＤ基板８と接続されている。
【００２９】
以上の構成によれば、アンテナ４が光学ユニット２に格納されていても、パッチ素子１１及びその後方にあるグランド素子１２は、ＬＥＤ７の前端３９よりも後方に設けられているため、パッチ素子１１及びグランド素子１２が、ＬＥＤ７による前方への発光（灯光）の妨げになることを防止することができる。また、パッチ素子１１及びグランド素子１２はＬＥＤ基板８の前方に設けられていることから、ＬＥＤ基板８がアンテナ４ａによる電波の送受信の妨げになるのを防止することができる。
【００３０】
パッチ素子１１及びグランド素子１２が、前方への発光（灯光）の妨げになることを防止するために、パッチ素子１１はＬＥＤ７の前端３９よりも後方に設けられているが、この「前端３９よりも後方」には、パッチ素子１１の前面１１ａとＬＥＤ７の前端３９との前後方向の位置が、略一致している場合を含む。なお、この略一致とは、ＬＥＤ７の前端３９の前後方向の位置が、パッチ素子１１の厚さ方向の範囲内に存在している場合である。
【００３１】
また、信号灯器１は、屋外に設置されていることから、ＬＥＤ基板８やＬＥＤ７に照りつけた西日や朝日が地上へ反射し、その反射光によって、灯器が見づらくなったり、点灯していない灯器が点灯しているように見える「擬似点灯」が生じたりする。
そこで、図４と図５において、前記反射防止部材１０は、光学ユニット２の外部から入射する光（太陽光）がＬＥＤ基板８及びＬＥＤ７の少なくとも一方により反射するのを防止する機能を有している。これにより、信号灯器１が見づらくなったり擬似点灯が生じたりするのを防止することができる。また、前記のとおり、この反射防止部材１０を用いてパッチ素子１１等を支持することによって、部品の兼用による構造の簡素化や、製造コストの低減を図ることができる。
【００３２】
反射防止部材１０は、絶縁部材である合成樹脂材により形成され、ＬＥＤ基板８よりも前方に配置されている。反射防止部材１０は、円形の板状（面状）に形成された板状部１０ａを備え、この板状部１０ａは、ＬＥＤ７の前端３９よりも後方に配置されている。板状部１０ａには、ＬＥＤ７の配置に対応して、ＬＥＤ７を挿通させるための複数の挿通孔１０ｂが形成されている。
板状部１０ａは、主にＬＥＤ基板８に対して太陽光が直接当たることを防止している。反射防止部材１０は、黒色の合成樹脂材により形成されるか、少なくとも板状部１０ａの前面が黒色に塗装され、太陽光の反射が防止されている。板状部１０ａの外周部を収容部材６の段部６ｃに嵌合させ、段部６ｃに形成された図示しない爪を板状部１０ａに係合することによって、反射防止部材１０は収容部材６に固定される。
【００３３】
板状部１０ａの後面にはボス部１０ｃ（図４参照）が後方突出状に形成され、ＬＥＤ基板８は、ボス部１０ｃのネジ穴に螺合したネジによって板状部１０ａに固定されている。ＬＥＤ基板８の前面８ａはボス部１０ｃの後端面に当接していて、板状部１０ａとＬＥＤ基板８との間には、ボス部１０ｃの高さに相当する間隔があけられている。
【００３４】
図５において、反射防止部材１０の前記挿通孔１０ｂの上縁には、庇部１０ｈが前方へ突出するように形成されている。庇部１０ｈは、斜め上方から照りつける太陽光がＬＥＤ７の反射鏡７ａに入射することを防止している。庇部１０ｈの前端は、ＬＥＤ７の前端３９よりも突出している。
又は、図示しないが、庇部１０ｈが省略された反射防止部材１０であってもよい。この場合、板上部１０ａの前面とＬＥＤ７の前端３９とを、前後方向にほぼ一致させるのがよい。
【００３５】
また、図示しないが、グランド素子１２を、ＬＥＤ基板８の後方としてもよい。この場合、ＬＥＤ７の前端３９よりも後方にあるパッチ素子１１と、グランド素子１２との前後方向の間隔を広くすることができる。
【００３６】
〔アンテナ４の第二の形態〕
図６は、第二の形態のアンテナ４が格納された信号灯器１の光学ユニット２の斜視図であり、図７及び図８は、その正面図及び断面図である。図６のアンテナ４もパッチ素子１１とグランド素子１２とを有しているパッチアンテナ４ｂであり、これらパッチ素子１１とグランド素子１２とが、光学ユニット２内に格納されている。
【００３７】
グランド素子１２は前記第一の形態と同じであり、その説明を省略する。
第二の形態のパッチ素子１１は、光学ユニット２内における前後方向の取り付け位置、ＬＥＤ７を挿通させる孔３４（図５参照）が形成されていない点、当該パッチ素子１１が可視光透過性を有している点で、第一の形態と異なる。これら異なる点を主に説明する。
【００３８】
パッチ素子１１の前後方向の取り付け位置は、カバー部材９からＬＥＤ７の前端３９までの範囲Ｂとなっている（図８参照）。つまり、パッチ素子１１は、カバー部材９の後面９ａから後方に離れて設けられていて、かつ、ＬＥＤ７の前端３９より前方に設けられている。このため、パッチ素子１１とＬＥＤ７とは干渉しないので、ＬＥＤ７挿通用の前記孔３４は不要である。
パッチ素子１１は、平面状（平板状）に形成されており、反射防止部材１０から前方へ立設されたスペーサ２２によって支持され、固定されている。なお、反射防止部材１０を省略する場合、パッチ素子１１及びグランド素子１２はＬＥＤ基板８に取り付けられる。
【００３９】
この実施形態においても、パッチ素子１１とグランド素子１２とが、前後方向に対向した配置となり、パッチアンテナ４ｂの指向性は、信号灯器１から前方へ向かう方向となる。したがって、光学ユニット２による投光方向とパッチアンテナ４ａの指向性とを略一致させることができる。
【００４０】
また、このアンテナ４ｂを前記高度道路交通システム（ＩＴＳ）に利用するために、使用周波数を７２０ＭＨｚ帯に設定する場合、パッチ素子１１とグランド素子１２との前後方向の間隔は、１０〜４０ｍｍに設定される。なお、これはグランド素子１２とパッチ素子１１との間に、空気が介在している場合である。
そこで、図８の実施形態では、ＬＥＤ基板８の前面８ａからＬＥＤ７の前端３９までの距離が小さくても、パッチ素子１１をこの前端３９よりも前方に配置することで、グランド素子１２とパッチ素子１１との前後方向の間隔を所望の値に設定しやすくなる。
【００４１】
そして、ＬＥＤ７の前端３９よりも前方にあるパッチ素子１１は、このＬＥＤ７の前方への投光を阻害しないように、パッチ素子１１の厚さ方向（前後方向）に、可視光透過性を有している（可視光に対して透明である）。なお、ここにいうパッチ素子１１における可視光透過性とは、パッチ素子１１の導電体部分（導体部分）が透明又は半透明である場合のみならず、パッチ素子１１を構成する導電体部分は可視光を遮断するが、パッチ素子１１の導電体部分が設けられていない部分を可視光がすり抜けて、パッチ素子１１の後方において発光された可視光がパッチ素子１１の前方に到達する状態をも含む。
【００４２】
パッチ素子１１に可視光透過性を備えさせるために、パッチ素子１１を、可視光透過性を有する薄膜導電体（透明導電体）から形成すればよい。この場合、例えば、酸化インジウムスズ（ＩＴＯ）等からなる透明導電体を、ガラス等の板部材（誘電体）からなるアンテナ用基板１６（図８の二点鎖線参照）の表面又は裏面に形成すればよい。この場合、パッチ素子１１を薄く、しかも、所定の形状に形成することができる。なお、前記アンテナ用基板１６は、透明であり可視光透過性を備えている。
なお、透明導電体としては、金属薄膜（Ａｕ，Ａｇ，Ｐｔ，Ｃｕ，Ｒｈ，Ｐｄ，Ａｌ，Ｃｒ）、酸化物半導体薄膜（Ｉｎ2Ｏ3、ＳｎＯ2、ＺｎＯ、ＣｄＯ、ＴｉＯ2、ＣｄＩｎ2Ｏ4、Ｃｄ2ＳｎＯ4、Ｚｎ2ＳｎＯ4、Ｉｎ2Ｏ3−ＺｎＯ系）、スピネル形化合物（ＭｇＩｎＯ4、ＣａＧａＯ4）、導電性窒化物薄膜（ＴｉＮ、ＺｒＮ、ＨｆＮ）、導電性ホウ化物薄膜（ＬａＢ6）、導電性高分子膜等を採用することができる。この透明導電体は、アンテナ用基板１６にスパッタリングや真空蒸着等を行なうことにより得られる。
【００４３】
又は、パッチ素子１１に可視光透過性を備えさせるために、パッチ素子１１を、可視光透過用の開口が形成された導電体から形成すればよい。つまり、図９に示しているように、パッチ素子１１をメッシュ構造による導電体とすることにより、パッチ素子１１は可視光透過性を有する。パッチ素子１１をメッシュ構造とするために、パッチ素子１１を導線によって（導線を編んで）形成する。なお、図９では、説明を容易とするために、ＬＥＤ７を省略している。また、このパッチ素子１１は、輪郭形状が矩形である。
【００４４】
メッシュ構造のパッチ素子１１についてさらに説明すると、パッチ素子１１を、例えば、径（幅）が１ｍｍである導線を編み目状に配置してメッシュ構造とする。すなわち、導線のピッチ（メッシュの間隔）を所定の値として、導線を上下方向及び左右方向に編み、網目状金属素子とする。このピッチが例えば２０ｍｍである場合、当該ピッチは約１／２０波長に相当し、使用する周波数が約７２０ＭＨｚ帯、波長が約４２０ｍｍ用のパッチアンテナとなる。なお、パッチ素子１１のメッシュ数（メッシュ粗さ）は変更自在であり、一面を四分割した網目状金属素子としたり、一面を二分割したもの、三分割したもの等であってもよい。
【００４５】
パッチ素子１１をメッシュ構造とするため、前記のような導線を利用する以外に、可視光透過性のあるガラス等のアンテナ用基板１６に金属膜（金属薄膜）によって網目を形成してもよい。つまり、アンテナ用基板１６の表面又は裏面に網目状の金属層を設け、メッシュ構造とする。そして、この金属メッシュ層が形成されたアンテナ用基板１６が、図８の二点鎖線で示しているように、カバー部材９とＬＥＤ７の前端３９との間に設けられ、パッチ素子１１となる。
【００４６】
金属メッシュ層を形成する場合、アンテナ用基板１６の面に、前記導線を用いた場合と同様のパターンによってメッシュを構成してもよいが、例えば線幅１０μｍであってピッチ（メッシュの間隔）を１００μｍである導線部からなる微細なメッシュを形成してもよい。このようにアンテナ用基板１６に微細なメッシュを形成する場合、線幅が１μｍ以上で５０μｍ以下であり、ピッチが５０μｍ以上で１０００μｍ以下とするのが好ましい。  アンテナ用基板１６に対して金属層を形成する方法としては、金属蒸着がある。
なお、メッシュ形状は、図９のような四角形状に限らず、三角形状、ハニカム形状とすることができ、また、全体として放射形状（蜘蛛の巣形状）等とすることができる。
【００４７】
また、図示しないが、図８を参考に説明すると、カバー部材９の後面９ａにパッチ素子１１を形成してもよい。この場合、前記アンテナ用基板１６を省略することができる。
また、前記パッチ素子１１と同様にグランド素子１２にも可視光透過性を備えさせれば、グランド素子１２を、ＬＥＤ７の前端３９よりも前とすることができる。
【００４８】
以上の構成によれば、グランド素子１２からパッチ素子１１までの前後方向の距離が所定の値となるように、パッチ素子１１をＬＥＤ７よりも前方に配置することができる。そして、パッチ素子１１はＬＥＤ７の前端３９よりも前方に設けられているが、パッチ素子１１は可視光透過性を有しているため、ＬＥＤ７による前方への発光（灯光）の妨げになることを防止することができる。
【００４９】
〔アンテナ４の第三の形態〕
図１０は、第三の形態のアンテナ４が格納された信号灯器１の光学ユニット２の斜視図であり、図１１及び図１２は、その正面図及び断面図である。図１０のアンテナは、ダイポールアンテナ４ｃであり、このダイポールアンテナ４ｃが、光学ユニット２に格納されている。
【００５０】
ダイポールアンテナ４ｃは、前記第二の形態と同様に、光学ユニット２のカバー部材９からＬＥＤ７の前端３９までの範囲Ｂに設けられており、可視光透過性を有している。ダイポールアンテナ４ｃは、ＬＥＤ７の前端３９よりも前方に設けられているが、可視光透過性を有しているため、ＬＥＤ７による前方への発光（灯光）の妨げになることを防止することができる。なお、図１２では、前記反射防止部材１０を省略しているが、当該反射防止部材１０が設けられていてもよい。
【００５１】
図１１及び図１２のダイポールアンテナ４ｃは、ガラス等の可視光透過性を有しているアンテナ用基板１６と、このアンテナ用基板１６の一面側に形成されたダイポール部２５、一対の平衡給電線部２７ａ，２７ｂ及び短絡部２８とを有している。短絡部２８は一対の平衡給電線部２７ａ，２７ｂを短絡している。さらに、アンテナ用基板１６の他面側には、ストリップ線路２６が形成されている。そして、アンテナ用基板１６が、前記カバー部材９と前記ＬＥＤ７の前端３９との間に設けられている。
【００５２】
アンテナ用基板１６は、円形又は矩形の平板からなり、ＬＥＤ基板８から前方へ立設した支持部材１３によって、ＬＥＤ７の前端３９よりも前方となって支持され、固定されている。支持部材１３を絶縁部材とすることができるが、アンテナ用基板１６を使用する場合、当該基板１６が絶縁体であれば、支持部材１３は絶縁部材でなくてもよい。アンテナ用基板１６は、ＬＥＤ基板８に対して前方で対向して配置されている。なお、図１２では、前記反射防止部材１０を省略しているが、当該反射防止部材１０を備えている場合、アンテナ用基板１６は当該反射防止部材１０にスペーサを介して取り付けられてもよい。
【００５３】
図示しているダイポールアンテナ４ｃは平衡型であり、平衡二線で給電される。給電のための構成は後に説明する。
ダイポール部２５は、アンテナ素子２５ａ，２５ｂを有している。平衡給電線部２７ａ，２７ｂ及び短絡部２８が、ストリップ線路２６のグランドを兼ねている。
【００５４】
ストリップ線路２６は、アンテナ用基板１６の他面側であって給電線部２７ｂの裏側となる位置で直線的に延びて形成され、ダイポール部２５のアンテナ素子２５ａ，２５ｂ間の中央部においてＵ字状に方向を反転し、アンテナ用基板１６の他面側であって給電線部２７ａの裏側となる位置で直線的に延びて形成されている。このストリップ線路２６、平衡給電線部２７ａ，２７ｂ及び短絡部２８によって、バルン（平衡不平衡変換部）が構成されている。この実施形態のアンテナ４ｃは、ダイポールアンテナ４ｃ及びバルンが一つのアンテナ用基板１６に形成されたバルン一体型のアンテナである。
【００５５】
ダイポール部２５、平衡給電線部２７ａ，２７ｂ及び短絡部２８は、アンテナ用基板１６の一面側に薄膜導電体としてパターン形成された線路からなる。また、ストリップ線路２６は、アンテナ用基板１６の他面側に薄膜導電体としてパターン形成された線路からなる。
そして、ダイポールアンテナ４ｃに可視光透過性を備えさせるために、第二の形態と同様に、アンテナ用基板１６が透明であると共に、一面側及び他面側の前記薄膜導電体は、可視光透過性を有する透明導電体であり、例えば、酸化インジウムスズ（ＩＴＯ）等からなり、また、透明導電体としては、前記のとおり、金属薄膜や酸化物半導体薄膜等がある。この透明導電体は、アンテナ用基板１６にスパッタリングや真空蒸着等を行なうことにより得られる。
又は、一面側及び他面側の前記薄膜導電体は、可視光透過用の微細な開口を有するように、微細なメッシュとしてもよい。メッシュ構造とする場合、前記第二の形態と同様の構成を採用することができる。
【００５６】
収容部材６（底部６ａ）には、ダイポールアンテナ４ｃ用の同軸ケーブル１５を接続させる端子部１９が取り付けられており、この端子部１９に、図１の制御装置５から延びる同軸ケーブル１５が接続される。この端子部１９から後空間部Ｓ２へ延びる同軸ケーブル１５ａが、ダイポールアンテナ４ｃと接続されている。同軸ケーブル１５ａは、中心導体１５ｂ、絶縁体（図示せず）、外導体１５ｄ及び被覆部１５ｅを有していて、中心導体１５ｂがストリップ線路２６に接続され、外導体１５ｄがグランド（給電線部２７ｂ）に接続されている。中心、外導体１５ｂ，１５ｄと各部とを半田によって接続し固定することができるが、半田以外の方法であってもよい。
【００５７】
以上の構成によれば、ダイポールアンテナ４ｃは、ＬＥＤ７の前端３９よりも前方に設けられるが、可視光透過性を有しているため、ＬＥＤ７による前方への発光（灯光）の妨げになることを防止することができる。
また、図１１のダイポールアンテナ４ｃにおいて、短絡部２８を省略し、後に説明する第四の形態のアンテナのグランド素子１２（図１５（ａ）参照）を設けてもよい。
【００５８】
また、ダイポールアンテナ４ｃの変形例を図１３に示す。このダイポールアンテナ４ｃは、図１１の形態と同様に、アンテナ用基板１６の一面に形成されているが、バルン２９はアンテナ用基板１６とは別の部分に設けられている。つまり、このアンテナは、バルン別体型である。
バルン２９は、例えばアンテナ用基板１６の後方、さらには、ＬＥＤ基板８の後方に設けられていて、前記同軸ケーブル１５ａと繋がっている。そして、このバルン３４とアンテナ４ｃとは、２線のリード線２４ａ，２４ｂを介して繋がっている。
【００５９】
〔アンテナ４の第四の形態〕
図１４は、第四の形態のアンテナ４が格納された信号灯器１の光学ユニット２の断面図である。このアンテナは平衡型であり、図示しているものは、平衡二線で給電されるダイポールアンテナ４ｄである。そして、このダイポールアンテナ４ｄが、光学ユニット２に格納されている。
【００６０】
図１５はダイポールアンテナ４ｄの説明図である。ダイポールアンテナ４ｄは、ダイポール部２５と、一対の平衡給電線部２７ａ，２７ｂと、グランド素子１２とを備えている。ダイポール部２５及び平衡給電線部２７ａ，２７ｂは、アンテナ用基板１６の一面側に薄膜導電体としてパターン形成された線路からなる。
アンテナ用基板１６の他面側には、ストリップ線路２６が設けられていて、このストリップ線路２６は、薄膜導電体としてパターン形成された線路からなる。
【００６１】
ストリップ線路２６は、アンテナ用基板１６の他面側であって平衡給電線部２７ｂの裏側となる位置で前後方向に直線的に延びて形成され、そして、ダイポール部２５のアンテナ素子２５ａ，２５ｂ間の中央部においてＵ字状に方向を反転し、アンテナ用基板１６の他面側であって平衡給電線部２７ａの裏側となる位置で前後方向に直線的に延びて形成されている。
ダイポール部２５、平衡給電線部２７ａ，２７ｂ、及びストリップ線路２６の材質としては、導電性があり、導電率の高い材料が好ましく、例えば、銅、真鍮などの銅合金、アルミ等による金属箔が好ましく、鉄、ニッケル又はその他の金属箔とすることもできる。
【００６２】
グランド素子１２は前記第一の形態と同様の構成である。グランド素子１２の前面には、アンテナ用基板１６が直立した状態で取り付けられている。具体的には図１５（ａ）（ｂ）に示すように、グランド素子１２の前面（金属面）に、２つの取付具３３を介してアンテナ用基板１６が固定されている。取付具は金属製でＬ字形状に形成され、その一辺部がグランド素子１２に取付ネジ及びナット等の締結具３６により固定され、他辺部がアンテナ用基板１６の平衡給電線部２７ａ，２７ｂに接触した状態で半田付け等により固定されている。グランド素子１２及び平衡給電線部２７ａ，２７ｂはともにストリップ線路２６に対するグランドとして機能する。
そして、ストリップ線路２６、平衡給電線部２７ａ，２７ｂ及びグランド素子１２によってバルン（平衡不平衡変換部）が構成されている。
【００６３】
グランド素子１２は、前後方向（ＬＥＤ７の投光方向）に対して垂直に配置され、このグランド素子１２にアンテナ用基板１６が直立した状態で取り付けられているので、アンテナ用基板１６に形成されたアンテナ素子２５ａ，２５ｂ、平衡給電線部２７ａ，２７ｂ、及びストリップ線路２６は、アンテナ用基板１６の板面と同様に、前後方向に沿うように（前後方向に沿った面（仮想面）と平行に）配置される。
【００６４】
図１４に示すように、収容部材６（底部６ａ）には、アンテナ４ｄ用の同軸ケーブル１５を接続させる端子部１９が取り付けられており、この端子部１９に、図１の制御装置５から延びる同軸ケーブル１５を接続することができる。そして、この端子部１９から後空間部Ｓ２へ延びる同軸ケーブル１５ａが、アンテナ４ｄと接続されている。同軸ケーブル１５ａは、図１５（ａ）（ｂ）にも示すように、中心導体１５ｂ、絶縁体１５ｃ、外導体１５ｄ及び被覆部１５ｅを有しており、中心導体１５ｂがストリップ線路２６に接続されていて、外導体１５ｄがグランド素子１２（平衡給電線部２７ｂ）に接続されている。中心、外導体１５ｂ，１５ｄと各部とを半田によって接続し固定することができるが、半田以外の方法であってもよい。
【００６５】
以上より、ダイポール部２５のアンテナ素子２５ａ，２５ｂが前後方向に沿った面と平行に配置されている。このため、ＬＥＤ７を前方（正面）から見たときに、その光がアンテナ素子２５ａ，２５ｂによって遮られるのを防止することができる。また、このダイポールアンテナ４ｄは、アンテナ用基板１６上にダイポール部２５が形成されていて、このダイポールアンテナ４ｄは、複数のＬＥＤ間に対応して配置されている。これにより、ＬＥＤ７とダイポール部２５とが前方（正面）から見て重複しない状態が得られ、ＬＥＤ７の光がアンテナ素子２５ａ，２５ｂによって遮られるのを防止することができる。
さらに、ダイポール部２５は、ＬＥＤ７の前端３９よりも前方に位置しているため、ＬＥＤ７が障害となることなく所望のアンテナ性能を発揮させることができる。
【００６６】
ダイポールアンテナ４ｄの変形例を図１６に示す。このダイポールアンテナ４ｄは、前記のようなストリップ線路２６によるバルンではなく、同軸形式の（同軸ケーブルによる）バルンを有している。
無線通信の制御を行なう制御装置５ｂ（図１参照）から延びる同軸ケーブル１５の外導体１５ｄは板状のグランド素子１２に接続されている。グランド素子１２から前方に第一導体１２ａと、第二導体１２ｂとが設けられ、電気的に接続されている。第一導体１２ａは筒状であり、ダイポール部２５のアンテナ素子２５ａと接続されている。第二導体１２ｂは板状又は棒状であり、ダイポール部２５のアンテナ素子２５ｂと接続されている。そして、同軸ケーブル１５の中心導体１５ｂが、第二導体１２ｂに接続されている。これにより、同軸ケーブル１５、グランド素子１２、第一導体１２ａ及び第二導体１２ｂによって、バルンが構成される。
【００６７】
〔アンテナ４の第五の形態〕
図１７は、第五の形態のアンテナ４が格納された信号灯器１の光学ユニット２の正面図である。このアンテナは平衡型であり、図示しているものは、平衡二線で給電される折り返しダイポールアンテナ４ｅである。そして、この折り返しダイポールアンテナ４ｅが、光学ユニット２に格納されている。
【００６８】
この折り返しダイポールアンテナ４ｅは、第三の形態と同様に（図１２を参考に説明すると）、光学ユニット２のカバー部材９からＬＥＤ７の前端３９までの範囲Ｂに設けられており、可視光透過性を有している。折り返しダイポールアンテナ４ｅは、ＬＥＤ７の前端３９よりも前方に設けられているが、可視光透過性を有しているため、ＬＥＤ７による前方への発光（灯光）の妨げになることを防止することができる。
【００６９】
図１７の折り返しダイポールアンテナ４ｅは、第三の形態と同様にガラス等の可視光透過性を有しているアンテナ用基板１６と、このアンテナ用基板１６の一面側に形成されたダイポール部２５、一対の平衡給電線部２７ａ，２７ｂ及び短絡部２８とを有している。
第三の形態のダイポールアンテナ４ｄのダイポール部２５は（図１１）、直線状に展開したアンテナ素子２５ａ，２５ｂを有していて、アンテナ素子２５ａ，２５ｂそれぞれが、λ／４（λ＝波長）を有しているのと同様に、図１７の折り返しダイポールアンテナ４ｅのダイポール部２５も、両側に展開したλ／４の長さのアンテナ素子２５ａ，２５ｂを有していているが、アンテナ素子２５ａ，２５ｂそれぞれが、中央からλ／４の位置で折り返されていて、ダイポール部２５がループ状となっている構造である。
【００７０】
そして、第三の形態と同様に、アンテナ用基板１６の他面側には、ストリップ線路２６が形成されている。そして、アンテナ用基板１６が、前記カバー部材９と前記ＬＥＤ７の前端３９との間に設けられている。
ダイポール部２５、平衡給電線部２７ａ，２７ｂ及び短絡部２８、並びに、ストリップ線路２６は、アンテナ用基板１６の一面側並びに他面側に薄膜導電体としてパターン形成された線路からなる。
【００７１】
折り返しダイポールアンテナ４ｅが可視光透過性を有するための構成は、第三の形態と同様であり、前記薄膜導電体は可視光透過性を有する透明導電体であり、例えば、酸化インジウムスズ（ＩＴＯ）等からなり、また、透明導電体としては、前記のとおり、金属薄膜や酸化物半導体薄膜等がある。この透明導電体は、アンテナ用基板１６にスパッタリングや真空蒸着等を行なうことにより得られる。
又は、一面側及び他面側の前記薄膜導電体は、可視光透過用の微細な開口を有するように、微細なメッシュとしてもよい。メッシュ構造とする場合、前記第二の形態と同様の構成を採用することができる。
【００７２】
その他の構成は、第三の形態と同様であり、説明を省略する。
また、図示しないが、図１３の形態のダイポールアンテナ４ｃを、折り返しダイポールアンテナとしてもよく、図１５の形態のダイポールアンテナ４ｄを、折り返しダイポールアンテナとしてもよい。
【００７３】
〔アンテナ４の第六の形態〕
図１８は、第六の形態のアンテナ４が格納された信号灯器１の光学ユニット２の正面図である。このアンテナ４は、バットウイングアンテナ４ｆである。そして、このバットウイングアンテナ４ｆが、光学ユニット２に格納されている。
このバットウイングアンテナ４ｆは、第二の形態と同様に（図８を参考に説明すると）、光学ユニット２のカバー部材９からＬＥＤ７の前端３９までの範囲Ｂに設けられていて、可視光透過性を有している。バットウイングアンテナ４ｆは、ＬＥＤ７の前端３９よりも前方に設けられているが、可視光透過性を有しているため、ＬＥＤ７による前方への発光（灯光）の妨げになることを防止することができる。
【００７４】
バットウイングアンテナ４ｆが可視光透過性を有するための構成は、第二の形態と同様に、ガラス等の可視光透過性を有しているアンテナ用基板１６の一面側又は他面側に薄膜導電体によりパターン形成した線路から、アンテナ素子を形成している。そして、この薄膜導電体は可視光透過性を有する透明導電体であり、例えば、酸化インジウムスズ（ＩＴＯ）等からなる。透明導電体は、アンテナ用基板１６にスパッタリングや真空蒸着等を行なうことにより得られる。
又は、バットウイングアンテナ４ｆに可視光透過性を備えさせるために、図示しないが、バットウイングアンテナ４ｆを導線（金属ワイヤ）によってメッシュ構造に構成する。これにより、バットウイングアンテナ４ｆは、ワイヤ間に可視光透過用の開口を有する。導線は例えば直径を２ｍｍとすることができる。また、この場合、導線自体に構造物としての強度があるので、アンテナ用基板１６を不要とできる。
【００７５】
図１８において、バットウイングアンテナ４ｆの給電部１７ａ，１７ｂへの給電は、平衡二線による構成とすることができる。この場合、給電部１７ａ，１７ｂには、図示していないバルン（図１３のバルン２９と同様のもの）が接続されている。この場合、前記バルンを、リード線（図示せず）を介在させて接続し、ＬＥＤ基板８の後方に設けてもよいが、アンテナ用基板１６の他面側又は一面側に設けてもよい。また、図１８の二点鎖線で示しているように、バットウイングアンテナ４ｆは、両端を接続している導体部２５ｃを有していてもよい。
【００７６】
また、図１９に示しているように、バットウイングアンテナ４ｆは、モノポール型であってもよい。図１９（ａ）はバットウイングアンテナ４ｆの正面図であり、図１９（ｂ）はその側面図である。図１９の形態では、同軸ケーブル１５による給電が行われている。このために、無線通信の制御を行なう制御装置５ｂ（図１参照）から延びる同軸ケーブル１５の外導体１５ｄはグランド１５ｃに接続され、中心導体１５ｂがバットウイングアンテナ４ｆに接続される。
【００７７】
また、バットウイングアンテナ４ｆは、図２０に示しているように、モノポール型のアンテナを二つ並べて設けた構成であってもよい。このバットウイングアンテナ４ｆは、図１９のアンテナを二つ並べた構成である。この場合、無線通信の制御を行なう制御装置５ｂ（図１参照）から延びる対の同軸ケーブル１５，１５によって、給電部１７ａ，１７ｂに１８０°の位相差を有して（逆相にして）給電する。同軸ケーブル１５の外導体１５ｄはグランド１５ｃに接続され、中心導体１５ｂがバットウイングアンテナ４ｆに接続される。
【００７８】
〔アンテナ４の第七の形態〕
図２１は、第七の形態のアンテナ４が格納された信号灯器１の光学ユニット２の正面図である。このアンテナ４は、ループアンテナ４ｇであり、このループアンテナ４ｇが、光学ユニット２に格納されている。ループアンテナ４ｇは、その円周が１波長となるように構成されている。給電方法は、平衡二線によることができる。
【００７９】
ループアンテナ４ｇは導線によって構成されていて、前後方向から見て、ループ状のループアンテナ４ｇとＬＥＤ素子７ｂとが重ならない配置となっている。そして、第一の形態と同様に（図４を参考に説明すると）、ループアンテナ４ｇは、ＬＥＤ７の前端３９よりも後方に設けられている。
そして、ループアンテナ４ｇの後方に反射板（図示せず）が設けられている。なお、ループアンテナ４ｇと反射板とは、ＬＥＤ基板８よりも前方に設けられている。
【００８０】
図２２は、ループアンテナ４ｇの変形例である。このループアンテナ４ｇは、第二の形態と同様に（図８を参考にして説明すると）、光学ユニット２のカバー部材９からＬＥＤ７の前端３９までの範囲Ｂに設けられている。ループアンテナ４ｇは、ＬＥＤ７の前端３９よりも前方に設けられているが、前後方向から見て、ループアンテナ４ｇとＬＥＤ素子７ｂとが重ならない配置となるように、当該ループアンテナ４ｇが配置されている。このため、ループアンテナ４ｇが、ＬＥＤ７による前方への発光（灯光）の妨げになることを防止することができる。
【００８１】
又は、ループアンテナ４ｇに可視光透過性を備えさせることによって、ＬＥＤ７による前方への発光の妨げになることを防止することができる。
ループアンテナ４ｇに可視光透過性を備えさせるための構成は、第二の形態と同様であり、ループアンテナ４ｇは、ガラス等の可視光透過性を有しているアンテナ用基板１６（誘電体）を有していて、ループ形状のアンテナ素子２５ｄとして、このアンテナ用基板１６の一面側に薄膜導電体として線路をパターン形成している。そして、前記薄膜導電体は可視光透過性を有する透明導電体であり、例えば、酸化インジウムスズ（ＩＴＯ）等からなり、また、透明導電体としては、前記のとおり、金属薄膜や酸化物半導体薄膜等がある。この透明導電体は、アンテナ用基板１６にスパッタリングや真空蒸着等を行なうことにより得られる。
又は、前記薄膜導電体は、可視光透過用の微細な開口を有するように、微細なメッシュとしてもよい。メッシュ構造とする場合、前記第二の形態と同様の構成を採用することができる。
また、図示しないが、光学ユニット２に格納するループアンテナは、図２１と図２２に示したもの以外に、双ループアンテナであってもよい。
【００８２】
以上の前記各形態によれば、各種アンテナ４は光学ユニット２に格納されたものとなる。これにより、アンテナ４を目立たなくして信号灯器１に設置することができ、道路の美観を損なうことがない。なお、図１の信号灯器１は三つの光学ユニット２を有していて、それぞれの光学ユニット２にアンテナ４が格納されている。
【００８３】
また、アンテナ４が信号灯器１の光学ユニット２内に組み込まれていることから、アンテナ設置用の専用の支柱を不要とすることができる。さらに、アンテナ４が露出した状態（突出した状態）にないため、信号灯器１を取り付けるための支柱４０及びアーム４１（図１）の設計において、アンテナ４が受ける風荷重を追加的に考慮する必要がない。また、アンテナ４に対する防錆、防塵についても追加的に考慮する必要がない。
【００８４】
さらに、交通用の信号灯器１は、車両のドライバによる視認性を考慮して道路に設置されているため、各実施形態のアンテナ４を格納させた信号灯器１を道路の所定位置に設置すれば、当該アンテナ４と車両の車載通信装置との間で無線通信を行なう上で、見通しが良好な状態を自然と得ることができる。これにより、信号灯器１の光学ユニット２に組み込んだアンテナ４を、路車通信を行なう高度道路交通システム（ＩＴＳ）に活用することができ、良好な通信状態が得られる。
【００８５】
また、本発明の信号灯器１は、赤、黄、青の灯光色を有する光学ユニット２以外に、図２３に示しているように、車両等の進行可能を意味する矢印を点灯させる光学ユニット５２を更に備えた矢印式信号灯器であってもよい。なお、図２３は、本発明の信号灯器１等を備えた交通信号灯器設備の説明図である。この矢印式信号灯器の光学ユニット５２も、赤、黄、青の光学ユニット２と同様に、内部に発光体（ＬＥＤ）及びカバー部材等を有していて、この光学ユニット５２にアンテナ４が格納されていてもよい。
【００８６】
また、図２３に示しているように、本発明の信号灯器１は、文字情報表示装置５３を備えていてもよい。この文字情報表示装置５３は、前記光学ユニット２と同様に、内部に多数のＬＥＤ等を有している光学ユニット５３ａを備えていて、発光させるＬＥＤの組み合わせを制御装置５ａが制御することで、様々な文字情報を車両に対して表示することができる。そして、前記光学ユニット２と同様に、この光学ユニット５３ａにアンテナ４が格納されていてもよい。
【００８７】
また、図２３に示しているように、本発明の信号灯器１は、待ち時間表示機能付きの交通信号灯器であってもよい。このために、信号灯器１は待ち時間表示部５４を有していて、この待ち時間表示部５４は、信号灯器１が赤の時間帯に、次に青の灯色に変わるまでの残り時間を表示する光学ユニット５４ａを有している。この光学ユニット５４ａは、前記光学ユニット２と同様に、内部に複数のＬＥＤを有していて、これらＬＥＤは数字を表示することができるように配置されている。そして、発光させるＬＥＤの組み合わせを制御装置５ａが制御することで、信号灯器１が次に青の灯色に変わるまでの残り時間を車両等に対して表示することができる。そして、前記光学ユニット２と同様に、このような光学ユニット５４ａにアンテナ４が格納されていてもよい。
このように、図２３に示した矢印式信号灯器、文字情報表示装置５３、待ち時間表示部５４は、これらが設置されている道路を走行する車両に対して、見通しが良い位置に設置されていて、前記各実施形態と同様に、前記アンテナ４の指向性を信号灯器１の前方とすることにより、前記車両に搭載した車載通信装置（図示せず）との間で、良好な通信状態が得られる。
【００８８】
また、本発明に関して、今回開示された実施の形態はすべての点で例示であって制限的なものではないと考えられるべきである。本発明の範囲は、上記した意味ではなく、特許請求の範囲と均等の意味及び範囲内でのすべての変更が含まれることが意図される。
例えば、本発明の信号灯器１は、車両用以外にも、図２３に示しているように、歩行者用の信号灯器５５であってもよい。この歩行者用信号灯器５５も、車両用と同様に、ＬＥＤを有する光学ユニット５５ａを有していて、この光学ユニット５５ａにアンテナ４が格納されている。この場合、アンテナ４を用いた無線通信の相手は、車両に搭載された車載機以外に、歩行者が携帯している携帯通信端末であってもよい。
【００８９】
また、図２３の交通信号灯器設備が備えている信号灯器１は、特に歩行者に対して音声で灯色に関する情報を伝えるための音響装置付き信号灯器であってもよい。このために、この信号灯器は、音を発することのできる音響装置（スピーカ）５６を備えている。音響装置５６は、制御装置５ａの制御によって、例えば視覚障害者のために、灯色が青の際に誘導音を発することができる。そして、この音響装置５６の筐体の内部に、アンテナ４が格納されていてもよい。
【００９０】
また、図２３の交通信号灯器設備は、道路標識５７を備えている。図２３の道路標識５７は、支柱４０に取り付けられているが、アーム４１や、信号灯器１の筐体３に取り付けられていてもよい。また、図２３の道路標識５７は、信号灯器１が設置されている場所（交差点）の地名を表示している案内標識である。そして、この案内標識に、アンテナ４が組み込まれている。
すなわち、この道路標識５７は、文字（や図等）を示している板状の本体部５７ａを有していて、この本体部５７ａに例えばパッチアンテナ４が貼り付けられている。すなわち、パッチアンテナ４の上に、文字（や図等）の表示が形成されている。この場合においても、道路標識５７は、当該道路標識５７が設置されている道路を走行する車両に対して、見通しが良い位置に設置されていて、アンテナ４の指向性を前方（標識を表示している道路へ向かう方向）とすることにより、車両に搭載した車載通信装置（図示せず）等との間で、良好な通信状態が得られる。
また、信号灯器１が有する発光体はＬＥＤ以外に電球であってもよい。
【図面の簡単な説明】
【００９１】
【図１】本発明の交通信号灯器の実施の一形態を示す正面図である。
【図２】一つの光学ユニットの斜視図である。
【図３】光学ユニットの正面図である。
【図４】光学ユニットの断面図である。
【図５】光学ユニットの内部の拡大断面図である。
【図６】第二の形態のアンテナが格納された光学ユニットの斜視図である。
【図７】光学ユニットの正面図である。
【図８】光学ユニットの断面図である。
【図９】可視光透過性を備えているパッチ素子の説明図である。
【図１０】第三の形態のアンテナが格納された光学ユニットの斜視図である。
【図１１】光学ユニットの正面図である。
【図１２】光学ユニットの断面図である。
【図１３】光学ユニットに格納するダイポールアンテナの変形例の説明図である。
【図１４】第四の形態のアンテナが格納された光学ユニットの断面図である。
【図１５】ダイポールアンテナの説明図である。
【図１６】ダイポールアンテナの変形例の説明する断面図である。
【図１７】第五の形態のアンテナが格納された光学ユニットの断面図である。
【図１８】第六の形態のアンテナが格納された光学ユニットの正面図である。
【図１９】バットウイングアンテナの変形例の説明する図であり、（ａ）は平面図、（ｂ）は断面図である。
【図２０】バットウイングアンテナの他の変形例の説明する図であり、（ａ）は平面図、（ｂ）は断面図である。
【図２１】第七の形態のアンテナが格納された光学ユニットの正面図である。
【図２２】ループアンテナの変形例の説明する正面図である。
【図２３】交通信号灯器設備の説明図である。
【符号の説明】
【００９２】
１  交通信号灯器（灯器）
２  光学ユニット
４  アンテナ
４ａ  パッチアンテナ
４ｂ  パッチアンテナ
４ｃ  ダイポールアンテナ
４ｄ  ダイポールアンテナ
４ｅ  折り返しダイポールアンテナ
４ｆ  バットウイングアンテナ
４ｇ  ループアンテナ
７  発光ダイオード（ＬＥＤ）
９  カバー部材
【図１】
2010146049.tif 000003
【図２】
2010146049.tif 000004
【図３】
2010146049.tif 000005
【図４】
2010146049.tif 000006
【図５】
2010146049.tif 000007
【図６】
2010146049.tif 000008
【図７】
2010146049.tif 000009
【図８】
2010146049.tif 000010
【図９】
2010146049.tif 000011
【図１０】
2010146049.tif 000012
【図１１】
2010146049.tif 000013
【図１２】
2010146049.tif 000014
【図１３】
2010146049.tif 000015
【図１４】
2010146049.tif 000016
【図１５】
2010146049.tif 000017
【図１６】
2010146049.tif 000018
【図１７】
2010146049.tif 000019
【図１８】
2010146049.tif 000020
【図１９】
2010146049.tif 000021
【図２０】
2010146049.tif 000022
【図２１】
2010146049.tif 000023
【図２２】
2010146049.tif 000024
【図２３】
2010146049.tif 000025